(57)【要約】【課題】バストサイズに対するフィット感の許容性を広げ、長時間着用しても身体の緊張を招くことなく、バストを十分に保形できるブラジャーを提供する。【解決手段】カップ部２，３と、バック布４，５と、肩紐６，７とを備えたノンワイヤー型のブラジャー１で、各カップ部は上カップ部３０と下カップ部２０から構成されるとともに前中心で互いに接合され、下カップ部は、略直線状に形成された底部２１と、底部から上縁にかけて次第に脇側に傾斜するとともにバスト側部に対応した略円弧状に形成された側縁部２２とを備えた非伸縮性の生地で構成され、左右の下カップ部の側縁部に、カップ部の最大上下幅の１／２よりも幅広で、長手方向に伸縮する伸縮性編地を用いたバック布が接合され、上カップ部の上縁から略三角形状の伸縮性編地を用いた調圧部８，９が延出するように配置され、調圧部の上部とバック布の背部との間に肩紐が接続されている。【選択図】図１
2014051749.tif 000002
【特許請求の範囲】
【請求項１】
左右一対のカップ部と、バック布と、肩紐とを備えて構成されるノンワイヤー型のブラジャーであって、
各カップ部は上カップ部と下カップ部から構成されるとともに前中心で互いに接合され、
少なくとも下カップ部は、略直線状に形成された底部と、底部から上縁にかけて次第に脇側に傾斜するとともにバスト側部に対応した略円弧状に形成された側縁部とを備えた非伸縮性の生地で構成され、
左右の下カップ部の側縁部に、少なくともカップ部の最大上下幅の１／２よりも幅広で、長手方向に伸縮する伸縮性生地を用いたバック布が接合され、
上カップ部の上縁から略三角形状に延出するように伸縮性生地を用いた調圧部が配置され、
前記調圧部の上部と前記バック布の背部との間に肩紐が接続されているブラジャー。
【請求項２】
調圧部を構成する伸縮性編地は、前中心から肩紐接続部に向けて斜め上方に伸縮する方向に配置されている請求項１記載のブラジャー。
【請求項３】
前記肩紐が、前記バック布及び前記調圧部と同じ伸縮性編地で構成されるとともに、伸縮方向が短手方向となる姿勢で、前記調圧部の上部と前記バック布の背部との間に一体に連結されている請求項１または２記載のブラジャー。
【請求項４】
前記上カップ部が伸縮性編地で構成され、前記調圧部と一体に形成されている請求項１から３の何れかに記載のブラジャー。
【発明の詳細な説明】
【技術分野】
【０００１】
本発明は、左右一対のカップ部と、バック布と、肩紐とを備えて構成されるノンワイヤー型のブラジャーに関する。
【背景技術】
【０００２】
特許文献１に記載されているように、一般的にブラジャーは、土台部に左右一対のカップ部が取付けられ、土台部の左右側方でバック布に縫着されている。そしてカップ部の下縁部には、バストを支持するためにバージスラインに沿った形状のワイヤーが収容されている。
【０００３】
また、特許文献２に記載されているように、楽な着用を求めて、ワイヤーを使用しないノンワイヤー型のブラジャーも提案されている。
当該ノンワイヤー型のブラジャーは、カップ部および土台部がウレタンフォームを用いて一体成型された一体成型部材で構成され、カップ部の上部にストラップの一端が取り付けられ、一体成型部材の脇部にバック布が取り付けられ、バック布の取り付け幅が一体成型部材の脇部長さの１／２以下に設定され、カップ部を構成する素材に比べて形状安定性が高い素材で構成された当て材を備えている。
【先行技術文献】
【特許文献】
【０００４】
【特許文献１】特開２０１２−７２７１号公報
【特許文献２】特開２０１０−１８０４９５号公報
【発明の概要】
【発明が解決しようとする課題】
【０００５】
ワイヤーを備えたブラジャーは、立ち姿勢での着用が前提であり、バストの保形性、造形性に優れているが、着用時の締付感が強く、自宅でくつろいだときや就寝時にはリラックスできないため、着用せずに就寝する場合も多い。しかし、就寝中でもバストが移動したり変形したりして型崩れする虞がある。
【０００６】
一方、ノンワイヤー型のブラジャーは、一般的に着用感を楽なものとする目的や美観を向上させる目的から、カップ部の両端に取り付けられているバック布の取り付け部分の幅が狭くなっている。しかも、カップ部が三角形状であるため、バストの脇の部分を十分に押えることができず、脇部分からバストがはみ出しやすく安定感に欠けるという問題があった。
【０００７】
特許文献２に記載されたノンワイヤー型のブラジャーは、カップ部及び土台部が一体成型された一体成型部材を用いているため、バック布の幅が狭いにもかかわらず、着用時に安定感が得られる。そして、カップ部に張りやこしを付与し、バストの造形性や安定感を高めるために、伸縮性部材でなる当て材がカップ部及び土台部とともに一体成型されている。
【０００８】
しかし、このようなノンワイヤー型のブラジャーは、ワイヤーを備えたブラジャーと同様に、着用者のバストサイズに対応したサイズを選択する必要があり、アンダーバストサイズとカップサイズに対応したブラジャーを選択し、試着してフィット感を確認した後に購入する必要があり、僅かでもサイズが異なると、十分な造形性や安定感が得られず、その結果、心身に緊張感が生じて疲労を招くという問題もあった。
【０００９】
また、バストの造形性を重視してカップ部及び土台部がウレタンフォームを用いて一体成型されているので、カップ部自体に自然な柔軟性が発現せず、自宅でくつろいだときや就寝時に着用するとやはり違和感を懐くという問題もあった。
【００１０】
本発明の目的は、上述した問題点に鑑み、バストサイズに対するフィット感の許容性を広げ、長時間着用しても身体の緊張を招くことなく、バストを十分に保形できるブラジャーを提供する点にある。
【課題を解決するための手段】
【００１１】
上述の目的を達成するため、本発明によるブラジャーの第一の特徴構成は、特許請求の範囲の書類の請求項１に記載した通り、左右一対のカップ部と、バック布と、肩紐とを備えて構成されるノンワイヤー型のブラジャーであって、各カップ部は上カップ部と下カップ部から構成されるとともに前中心で互いに接合され、少なくとも下カップ部は、略直線状に形成された底部と、底部から上縁にかけて次第に脇側に傾斜するとともにバスト側部に対応した略円弧状に形成された側縁部とを備えた非伸縮性の生地で構成され、左右の下カップ部の側縁部に、少なくともカップ部の最大上下幅の１／２よりも幅広で、長手方向に伸縮する伸縮性生地を用いたバック布が接合され、上カップ部の上縁から略三角形状に延出するように伸縮性生地を用いた調圧部が配置され、前記調圧部の上部と前記バック布の背部との間に肩紐が接続されている点にある。
【００１２】
下カップ部の略直線状に形成された底部の所定幅領域がバストの下部に沿うように肌面に当接し、底部から上縁にかけて次第に脇側に傾斜するように略円弧状に形成された側縁部によって、バストが側方に広がらないように前中心上方に向けて支持され、非伸縮性の布帛で構成されるカップ部でバストが下方から包み込まれ、重量が受止められることにより効果的に保形される。
【００１３】
また、バック布が長手方向に伸縮する伸縮性編地で構成され、左右の下カップ部の側縁部からカップ部の最大上下幅の１／２よりも幅広に形成されているので、左右のカップ部が左右からしっかりと保持でき、カップ部が上下に位置ずれするようなことがなく、またそのような幅広のバック布であれば、脇部から背中にかけて肌に食い込むようなことが無く、全体のシルエットも良好になる。
【００１４】
さらに、上カップ部の上縁から延出する略三角形状の伸縮性編地でなる調圧部を介して肩紐で上方に支持されるので、ボリュームのないバストであればカップ部が浮き上がることなく肌側に良好にフィットし、大きくボリュームのあるバストであっても調圧部で柔軟に受止められるようになり、バスト上部にカップ部が強く当たるような不快感を与えることが無い。
【００１５】
このようなブラジャーは、カップ部にワイヤーを備えたブラジャーやカップ部と土台部が一体成型されたブラジャーのように、バストサイズに合わせて多数のサイズから選択してフィッティングしなくても、バストサイズに対するフィット感の許容性が広がり、きめ細かく多くのサイズを準備する必要が無くなる。例えばＳ，Ｍ，Ｌ，ＬＬサイズ等のようなサイズ区分で商品化でき、肌着感覚で選ぶことができるようになり、バストを十分に保形しながらも着用者の束縛感を開放し、就寝時を含めて長時間着用しても、楽な装着感で身体の緊張を招くことがない。
【００１６】
同第二の特徴構成は、同請求項２に記載した通り、上述の第一特徴構成に加えて、調圧部を構成する伸縮性編地は、前中心から肩紐接続部に向けて斜め上方に伸縮する方向に配置されている点にある。
【００１７】
調圧部の伸縮方向が前中心から肩紐接続部に向けて斜め上方に設定されているので、バストサイズがそれほど大きくない場合には、前中心から肩紐接続部にかけてカップ部が肌側に引張られてカップ部の浮き上がりが効果的に回避され、バストサイズが大きくボリュームがある場合には、調圧部が前中心から肩紐接続部間で伸長してバスト上部にカップ部が強く当たるような不快感を与えることが無い。
【００１８】
同第三の特徴構成は、同請求項３に記載した通り、上述の第一または第二特徴構成に加えて、前記肩紐が、前記バック布及び前記調圧部と同じ伸縮性編地で構成されるとともに、伸縮方向が短手方向となる姿勢で、前記調圧部の上部と前記バック布の背部との間に一体に連結されている点にある。
【００１９】
肩紐にバック布及び調圧部と同じ伸縮性編地を採用し、調圧部の上部とバック布の背部との間で一体に連結することで、肩紐の長さ調節操作を行なわなくてもよくなり、着脱が楽になる。また、肩紐はその伸縮方向が短手方向となる姿勢で配置されることにより、バストの重量で肩紐が伸びてカップ部がバスト前方に浮き上がるようなことが無く、良好な保形性が維持できる。
【００２０】
同第四の特徴構成は、同請求項４に記載した通り、上述の第一から第三の何れかの特徴構成に加えて、前記上カップ部が伸縮性編地で構成され、前記調圧部と一体に形成されている点にある。
【００２１】
上述の構成によれば、伸縮性を示す領域が増え、バストサイズに対するフィット感の許容性がさらに広がり、着け心地もさらに楽になる。
【発明の効果】
【００２２】
以上説明した通り、本発明によれば、バストサイズに対するフィット感の許容性を広げ、長時間着用しても身体の緊張を招くことなく、バストを十分に保形できるブラジャーを提供することができるようになった。
【図面の簡単な説明】
【００２３】
【図１】（ａ）は本発明によるブラジャーの正面図、（ｂ）は同ブラジャーの右カップ部の裏面図
【図２】本発明によるブラジャーの機能性の説明図膝関節に膝部支持具を装着した状態を膝頭側から見た説明図
【図３】（ａ）は別実施形態を示すブラジャーの正面図、（ｂ）は同ブラジャーの右カップ部の裏面図
【図４】別実施形態を示すブラジャーの正面図
【発明を実施するための形態】
【００２４】
以下、本発明によるブラジャーを説明する。
図１（ａ）には、ブラジャーの正面図、図１（ｂ）には、その右カップ部の裏面図が示されている。
【００２５】
図１（ａ），（ｂ）に示すように、ノンワイヤー型のブラジャー１は、左右一対のカップ部２，３と、バック布４，５と、肩紐６，７とを備えている。
【００２６】
各カップ部２，３は上カップ部３０と下カップ部２０との弧状に形成された接合面が縫合されて膨らみが形成されるとともに前中心で互いに縫合されている。主に下カップ部２０でバストを持上げ支持するように下カップ部２０の上下幅が上カップ部３０の上下幅の２倍以上の幅広形状に構成されている。
【００２７】
尚、上カップ部３０と下カップ部２０とが縫合により接合される態様に限らず、カップ部２，３が上カップ部３０と下カップ部２０とから構成され、前中心で互いに接合されていればよく、左右のカップ部が一体の生地で構成されていてもよいし、左右のカップ部が接着剤を介して接合されていてもよい。
【００２８】
少なくとも下カップ部２０は、略直線状に形成された底部２１と、底部２１から上縁にかけて次第に脇側に傾斜するとともにバスト側部に対応した弧状（略円弧状）に形成された側縁部２２とを備えた非伸縮性の布帛で構成されている。
【００２９】
各カップ部２，３は、肌側から表面側に向けて順に綿の天竺編地、不織布、トリコット編地の三層で構成されている。下カップ部２０の底部２１がアンダーバストに当接し、主に非伸縮性布帛である不織布によりバストが包み込まれるように支持される。トリコット編地に替えて装飾性の高いレース編地を表地に用いることも可能である。
【００３０】
左右の下カップ部２０の側縁部２２に、少なくともカップ部２，３の最大上下幅の１／２よりも幅広で、長手方向に伸縮する伸縮性編地を用いたバック布４，５が縫着等により接合され、上カップ部３０の上縁から延出するように略三角形状の伸縮性編地でなる調圧部８，９が配置されている。
【００３１】
図１（ａ）では説明の便宜上、上カップ部３０の上縁にのみ略三角形状の伸縮性編地が配置されたように記載されているが、当該伸縮性編地はカップ部２，３全体を覆い、さらに上カップ部３０の上縁から略三角形状に延出するように配置されている。当該伸縮性生地は、少なくとも下カップ部２０の底部２１及び側縁部２２でカップ部に固定され、上カップ部３０の側縁部等をパイピング処理するテープで縫着等により固定されている。
【００３２】
調圧部８，９を構成する伸縮性編地は、前中心から肩紐接続部に向けて斜め上方に伸縮する方向に配置されている。
【００３３】
図２には、バック布４，５及び調圧部８，９の伸縮方向が白抜きの矢印で示され、カップ部２，３の最大上下幅Ｗ及びバック布４，５の上下幅Ｗ１が一点鎖線の矢印で示されている。
【００３４】
バック布４，５及び調圧部８，９に用いる伸縮性編地にサテンネット、トリコネット、パワーネット等の伸縮性経編地を用いることができ、特に一方向に伸縮性を備えたパワーネットを用いるのが好ましい。パワーネットは、ポリウレタン等の伸縮弾性繊維とナイロン等の合成繊維フィラメントを交編して得られるラッセル編地で、綿などの吸湿性紡績糸でカバーリングされた伸縮弾性繊維を用いることで吸湿性を発現させることも可能である。
【００３５】
バック布４，５の両端部には、それぞれ受け金４１と鉤５１で構成された鉤ホックが設けられ、背中でサイズ調整自在に係止される。調圧部８，９の上部とバック布４，５の背部との間に接続金具を介して肩紐６，７が接続されている。図示していないが、当該肩紐６，７は、エイト環を備えた長さ調節可能な細幅のストラップである。
【００３６】
下カップ部２０の略直線状に形成された底部２１がバストの下部に沿うように肌面に当接し、底部２１から上縁にかけて次第に脇側に傾斜するように円弧状に形成された側縁部２２によって、バストが側方に広がらないように前中心上方に向けて支持され、非伸縮性の布帛で構成されるカップ部２，３でバストが下方から包み込まれ、重量が受止められることにより効果的に保形される。
【００３７】
また、バック布が長手方向に伸縮する伸縮性編地で構成され、左右の下カップ部２０の側縁部２２からカップ部２，３の最大上下幅の１／２よりも幅広に形成されているので、左右のカップ部２，３が左右からしっかりと保持でき、カップ部が上下に位置ずれするようなことがなく、またそのような幅広のバック布であれば、脇部から背中にかけて肌に食い込むようなことが無く、全体のシルエットも良好になる。
【００３８】
さらに、上カップ部３の上縁に縫着された略三角形状の伸縮性編地でなる調圧部８，９を介して肩紐６，７で上方に支持されるので、ボリュームのないバストであればカップ部２，３が浮き上がることなく肌側に良好にフィットし、大きくボリュームのあるバストであっても調圧部８，９で柔軟に受止められるようになり、バスト上部にカップ部２，３が強く当たるような不快感を与えることが無い。
【００３９】
このようなブラジャー１は、カップ部にワイヤーを備えたブラジャーやカップ部と土台部が一体成型されたブラジャーのように、バストサイズに合わせて多数のサイズから選択してフィッティングしなくても、バストサイズに対するフィット感の許容性が広がり、きめ細かく多くのサイズを準備する必要が無くなる。
【００４０】
例えばＳ，Ｍ，Ｌ，ＬＬサイズ等のようなサイズ区分で商品化でき、消費者は肌着感覚で選ぶことができるようになり、バストを十分に保形しながらも着用者の束縛感を開放し、就寝時を含めて長時間着用しても、楽な装着感で身体の緊張を招くことがない機能性の高い商品となる。
【００４１】
以下、別実施形態を説明する。
図３（ａ），（ｂ）に示すように、左右の上カップ部３０と調圧部８，９を一体化してともに伸縮性生地で構成してもよい。このように構成すれば、伸縮性を示す領域が増え、バストサイズに対するフィット感の許容性がさらに広がり、着け心地もさらに楽になる。
【００４２】
また、下カップ部２０を左右の生地片に分割し、左右の生地片の接合部にダーツを設けてさらに膨らみを持たせるように構成してもよい。
【００４３】
本実施形態では、装飾性の高いレース編地をカップ部２０，３０の表地に用い、調圧部８，９となる伸縮性編地が上カップ部３０の上縁から略三角形状に延出するように上カップ部３０の上縁に固定されている。つまり、調圧部８，９となる伸縮性編地は、カップ部２，３の全面を覆うように配置されている必要は無い。
【００４４】
図４に示すように、肩紐６，７をバック布４，５及び調圧部８，９と同じ伸縮性編地で構成してもよい。この場合には、肩紐６，７を構成する伸縮性編地の伸縮方向が長手方向とは異なり、幅方向（短手方向）となる姿勢でバック布４，５及び調圧部８，９にそれぞれ一体に縫着処理や接着処理等により連結されることが好ましい。つまり、調圧部８，９の上部とバック布４，５の背部との間の位置Ｐ１，Ｐ２で伸縮方向を切替えて連結されている。
【００４５】
肩紐６，７を構成する伸縮性編地の伸縮方向を長手方向にすると、バストの重みで肩紐６，７が伸びるため、バストの引き上げ効果が損なわれるためである。肩紐６，７にバック布４，５及び調圧部８，９と同じ伸縮性編地を採用し、調圧部８，９の上部とバック布４，５の背部との間で一体に縫着することで、肩紐の長さ調節操作を行なわなくてもよくなり、着脱が一層楽になる。
【００４６】
尚、上述の実施形態は、本発明のノンワイヤー型のブラジャーの一例の説明であり、各部の具体的なサイズや各部の編地や布帛を構成する材料等は、特に制限されることは無く、本発明の作用効果が奏される範囲で適宜設定すればよい。
【産業上の利用可能性】
【００４７】
本発明によるブラジャーは、バストサイズに対するフィット感の許容性を広げ、長時間着用しても身体の緊張を招くことなく、バストを十分に保形できるブラジャーとして年齢層を問わず使用でき、楽な着け心地で一定の保形性を備えているので、特に着用時の締付感よりも開放感を重視する中年以降の年齢層の需要者は日常的に使用できる。
【符号の説明】
【００４８】
１：ブラジャー
２，３：カップ部
４，５：バック布
６，７：肩紐
８，９：調圧部
２０：下カップ部
２２：側縁部
３０：上カップ部
【図１】
2014051749.tif 000003
【図２】
2014051749.tif 000004
【図３】
2014051749.tif 000005
【図４】
2014051749.tif 000006